(57)【要約】【課題】コネクターのシールド未処理およびピンのショートによる接点状態不良を防止し、外部衝撃によるピンホルダーの破損および摩耗を防止するようにした入出力プラグのピンホルダー構造を提供する。【解決手段】外部装備の入出力端子に挿合されるように内部に接触ピンを具備し、一側に突設されたピン結合部、および後部上下面にそれぞれ突設された結合突起を含むピンホルダーと；前記ピンホルダーのピン結合部が開放状態を維持するように、前面に形成された通孔、および前記ピンホルダーの結合突起が挿合されるように、上下面所定部位に突起挿合孔が形成された上部板および下部板からなるカバー板と；を含んでなる。前記下部板は長く形成され、その後部に、接地のためのシールド線が引き出されるように、所定直径のシールド引出孔が形成され、底面側には、外部衝撃による撓みを防止するために、所定厚さの突条部が長く形成される。【選択図】図２
0003120894.tif 000002
【実用新案登録請求の範囲】
【請求項１】
外部装備の入出力端子に挿合されるように内部に接触ピンを具備し、一側に突設されたピン結合部１２、および後部上下面にそれぞれ突設された結合突起１１ａ、１１ｂを含むピンホルダー１０と；前記ピンホルダー１０のピン結合部１２が開放状態を維持するように、前面に形成された通孔２２、および前記ピンホルダー１０の結合突起１１ａ、１１ｂが挿合されるように、上下面所定部位に突起挿合孔２１ａ、２１ｂが形成された上部板２５および下部板２６からなるカバー板２０と；を含んでなる入出力プラグにおいて、
前記下部板２６は長く形成され、その後部に、接地のためのシールド線が引き出されるように、所定直径のシールド引出孔２７が形成され、底面側には、外部衝撃による撓みを防止するために、所定厚さの突条部２８が長く形成されることを特徴とする、入出力プラグのピンホルダー構造。
【考案の詳細な説明】
【技術分野】
【０００１】
本考案は車両用電話の入出力プラグに使用されるピンホルダーの改善した構造に関するもので、より詳しくは、外部衝撃によるピンホルダーの破損および摩耗を防止し、内部のＰＣＢを保護して、ピンのショートを抑制するように、ピンホルダーの上下面に金属材のカバー板が密着結合された入出力プラグのピンホルダーとカバー板の結合技術に関するものである。
【背景技術】
【０００２】
一般に、車両用入出力プラグのピンホルダーは、通常情報通信部の標準２４ピンコネクターを用い、プラスチックなどの軽くて安価な材質を使用して製作される。
【０００３】
しかし、従来のこのような入出力プラグのピンホルダーは、一側端部が突出して電話の入出力端子に頻繁に結合および分離して使用されるから、長期間の使用時、ピンホルダーの外部面が携帯電話の入出力端子などと酷く摩擦して破損するかまたは摩耗する問題点があった。
【０００４】
また、前記ピンホルダーは、ケーブルが具備されたＰＣＢと互いに連結されるが、前記のような場合、外部衝撃によってＰＣＢ自体が破損するか、シールド未処理および半田付け部のショートなどによって通信エラーが発生することができる問題点があった。
【考案の開示】
【考案が解決しようとする課題】
【０００５】
本考案はこのような従来の諸般問題点を解決するためになされたもので、本考案の目的は、プリント基板の下部に金属材のカバー板を載置し、前方部にはピンホルダーを挿合した状態で車両用電話に結合することにより、コネクターのシールド未処理およびピンのショートによる接点状態不良を防止し、外部衝撃によるピンホルダーの破損および摩耗を防止するようにした入出力プラグのピンホルダー構造を提供することである。
【課題を解決するための手段】
【０００６】
上記課題を解決するために、本考案は、外部装備の入出力端子に挿合されるように内部に接触ピンを具備し、一側に突設されたピン結合部、および後部上下面にそれぞれ突設された結合突起を含むピンホルダーと；前記ピンホルダーのピン結合部が開放状態を維持するように、前面に形成された通孔、および前記ピンホルダーの結合突起が挿合されるように、上下面所定部位に突起挿合孔が形成された上部板および下部板からなるカバー板と；を含んでなる入出力プラグにおいて、前記下部板は長く形成され、その後部に、接地のためのシールド線が引き出されるように、所定直径のシールド引出孔が形成され、底面側には、外部衝撃による撓みを防止するために、所定厚さの突条部が長く形成されることを特徴とする、入出力プラグのピンホルダー構造を提供する。
【考案の効果】
【０００７】
以上説明したように、本考案の入出力プラグの構造によれば、ピンホルダーの上下面に、対応する大きさおよび形態を有するように製作されたカバー板を密着結合することにより、外部衝撃によるピンホルダーの破損および摩耗を防止することができる。
【０００８】
また、前記カバー板の下部板は、底面側に所定厚さの突条部が突設されて一定のテンションを有するので、外部衝撃によるカバー板自体およびその上部に装着されたプリント基板の撓み、およびピンとプリント基板間のショートなどの接点状態不良を抑制して、通信エラー発生を最小化することができる。
【考案を実施するための最良の形態】
【０００９】
以下、本考案によるピンホルダーおよびカバー板の実施例を添付図面に基づいて詳しく説明する。
【００１０】
図１は本考案のカバー板が装着されたピンホルダーを示す平面図、図２は本考案のカバー板が装着されたピンホルダーを示す底面図、図３は本考案のカバー板とピンホルダーの結合構造を示す側面分解図である。
【００１１】
図１〜図３に示すように、本考案は、車両用電話に対するデータの送受信ができるように、車両用電話の入出力端子に連結する入出力プラグのピンホルダー１０と、外部衝撃によるピンホルダー１０の破損および摩耗、およびシールド（図示せず）未処理によるピンホルダー１０の接触ピン（図示せず）とプリント基板（図示せず）間の接触不良を抑制して、これによる通信エラーを防止するように、前記ピンホルダー１０の上下面に密着して装着される金属材のカバー板２０とを含んでなる。
【００１２】
前記ピンホルダー１０は、内部にプリント基板および配線（図示せず）などが具備され、その一側には、電話またはＰＤＡの入出力端子に連結されてデータを送受信するように接触ピンが具備されたピン結合部１２が突設され、後部の上下面には、後述するカバー板２０の突起挿合孔に挿合されるように所定長さを有する複数の結合突起１１ａ、１１ｂ（図示の実施例においては、上面に一つ、下面に二つ）がそれぞれ突設される。この時、前記結合突起１１ａ、１１ｂの数はピンホルダー１０の大きさおよび形態によって適宜変更可能である。
【００１３】
前記カバー板２０は、前記ピンホルダー１０が内側上下面に密着して結合するように、前方部がピンホルダー１０の形状と対応して製造された上部板２５および下部板２６から構成され、前記カバー板２０の前方部には、ピンホルダー１０のピン結合部１２が電話またはＰＤＡの入出力端子と結合するように、通孔２２が形成され、前記上部板２５と下部板２６の上下面所定部位には、ピンホルダー１０が堅く保持されるように、前記ピンホルダー１０の結合突起１１ａ、１１ｂが挿合される突起挿合孔２１が形成される。
【００１４】
また、前記カバー板２０の下部板２６は、上部にプリント基板が装着されるように長手方向に長く形成され、後方部には、内部に装着されるプリント基板と干渉せず装着を容易にするように外側に折り曲げられて凹んでいる折曲段部２４が形成され、その一側には、接地のために配線のシールド線（図示せず）が引き出されるように、所定直径のシールド引出孔２７が形成され、前記下部板２６の底面所定部位には、外部衝撃によるカバー板２０の撓みを防止するために、適切なテンションを有するように、長手方向に長く、所定厚さの突条部２８が突設される。
【００１５】
この時、前記カバー板２０は、手で上部板２５を少し引っぱる場合、上部板２５が通孔２２を基準として下部板２６から所定角度に広がるように、望ましくは弾性材で構成する。
【００１６】
一方、このように結合されたピンホルダー１０およびカバー板２０は、図４に示すように、ピン結合部１２の両側部に弾支されるボタン３２の操作によって電話の結合部位に脱着できるように、ガイドロック３３の装着された外部カバー３０の内部に装着される。
【００１７】
このように構成されたピンホルダーおよびカバー板の結合方法は次のようである。
【００１８】
まず、カバー板２０の内部に、ピンホルダー１０のピン結合部１２が通孔２２側に向かうように、ピンホルダー１０を位置させ、上部板２５を手で引っぱって、上部板２５と下部板２６が少し広げた後、ピンホルダー１０の下部結合突起１１ｂを下部板２６の突起挿合孔２１ｂに挿合させ、ピンホルダー１０のピン結合部１２が自然にカバー板２０の通孔２２に位置するようにする。
【００１９】
この時、手で掴んでいる上部板２５を放すと、上部板２５が弾力によって元の位置に復帰するにしたがい、上部板２５の突起挿合孔２１ａにピンホルダー１０の上部結合突起１１ａが挿合されることにより、ピンホルダー１０とカバー板２０が堅く結合されるものである。
【００２０】
その後、下部板２６の上部にプリント基板を装着すれば、下部板２６の底面に形成された突条部２８のテンションによって、プリント基板の外部衝撃による破損および撓みが防止される。
【００２１】
この時、前記ピンホルダー１０のピン結合部１２はカバー板２０前面に形成された通孔２２を通じて開放された形態になって、電話またはＰＤＡの入出力端子に自由に挿入されることができる。
【００２２】
その後、前記カバー板２０に結合されたピンホルダー１０を、ボタン３２およびガイドロック３３の装着された外部カバー３０の内部に搭載した後、下部板２６のシールド引出孔２７を通じてシールドを引き出して接地させる。
【００２３】
以上説明した本考案は特定の実施例に基づいて説明したが、本考案はこれに限定されるものではなく、本考案の技術的思想の範疇内で修正および変形実施が可能である。
【産業上の利用可能性】
【００２４】
本考案は、コネクターのシールド未処理およびピンのショートによる接点状態不良を防止し、外部衝撃によるピンホルダーの破損および摩耗を防止するようにした入出力プラグのピンホルダー構造に適用可能である。
【図面の簡単な説明】
【００２５】
【図１】本考案のカバー板が装着されたピンホルダーを示す平面図である。
【図２】本考案のカバー板が装着されたピンホルダーを示す底面図である。
【図３】本考案のカバー板とピンホルダーの結合構造を示す側面分解図である。
【図４】本考案のカバー板が適用されるプラグを示す内部構造図である。
【符号の説明】
【００２６】
１０  ピンホルダー
１１ａ、１１ｂ  結合突起
１２  ピン結合部
２０  カバー板
２１ａ、２１ｂ  突起挿合孔
２２  通孔
２５  上部板
２６  下部板
２７  シールド引出孔
２８  突条部
３０  外部カバー
【図１】
0003120894.tif 000003
【図２】
0003120894.tif 000004
【図３】
0003120894.tif 000005
【図４】
0003120894.tif 000006